(57)【要約】【課題】  ブロードキャストサービスにて、特定エリアに在圏するブロードキャスト受信可能な移動機数を把握する。【解決手段】  交換機４を介してブロードキャストサービスを行うブロードキャスト制御サーバ２が当該ブロードキャストサービスを受信可能な移動機６の数を配信エリア８ごとに把握するブロードキャスト受信可能移動機数把握システムにおいて、交換機４が、移動機６が位置登録及び在圏エリア変更時に交換機６に通知するメッセージ内のエリア情報と移動機識別子とを使い、配信エリア８ごとにブロードキャスト受信可能な移動機６の数をカウントして保持する保持手段とを備え、当該交換機４からブロードキャストサービス制御サーバ２に当該移動機６の数を通知し、ブロードキャストサービス制御サーバ２は当該移動機６の数に基づいてブロードキャストサービスを配信する。【選択図】      図２
2005348326.tif 000002
【特許請求の範囲】
【請求項１】
ブロードキャストサービスの配信エリア内に在圏する移動機と、該移動機からの発信呼に対して呼接続制御を行う交換機と、呼接続時のサービス制御を行うブロードキャストサービス制御サーバとを具備する移動通信網であって、前記配信エリア内に在圏する移動機のうち当該ブロードキャストサービスを受信可能な移動機の機数を把握するブロードキャスト受信可能移動機数把握システムにおいて、
前記配信エリアに在圏する移動機が当該交換機に対して当該配信エリアの情報および当該移動機の識別子情報を通知する通知手段と、
当該交換機内で、当該配信エリアの情報および当該移動機の識別子情報に基づいて、当該配信エリアごとに当該ブロードキャストサービスを受信可能な移動機の機数を取得して保持する移動機数保持手段と、
前記ブロードキャストサービス制御サーバから当該交換機に対して当該ブロードキャストサービスを受信可能な移動機の機数についての問い合わせを行う問合せ手段と、
当該交換機から前記ブロードキャストサービス制御サーバに対して前記移動機数保持手段で保持している当該ブロードキャストを受信可能な移動機の機数を通知して応答する応答手段と、
を具備することを特徴とするブロードキャスト受信可能移動機数把握システム。
【請求項２】
ブロードキャストサービスの配信エリア内に在圏する移動機と、該移動機からの発信呼に対して呼接続制御を行う交換機と、呼接続時のサービス制御を行うブロードキャストサービス制御サーバとを具備する移動通信網であって、前記配信エリア内に在圏する移動機のうち当該ブロードキャストサービスを受信可能な移動機の機数を把握するブロードキャスト受信可能移動機数把握システムにおいて、
前記配信エリアに在圏する移動機が当該交換機に対して当該配信エリアの情報および当該移動機の識別子情報を通知する通知手段と、
当該交換機内で、当該配信エリアの情報および当該移動機の識別子情報に基づいて、当該配信エリアごとに当該ブロードキャストサービスを受信可能な移動機の機数を取得して保持する移動機数保持手段と、
前記ブロードキャストサービス制御サーバによって当該配信エリアに関する情報および当該ブロードキャストサービスを受信可能な最低限の移動機の機数を示す閾値に関するイベント情報を指定して要求するイベント要求手段と、
前記交換機内に前記イベント情報を登録するイベント登録手段と、
前記イベント登録手段で登録された前記配信エリアに関する情報および前記閾値に関する情報に基づいて、前記移動機数保持手段で保持している当該ブロードキャストサービスを受信可能な移動機の数が前記閾値を超えたか否かを判定する判定手段と、
前記判定手段による判定の結果、当該ブロードキャストサービスを受信可能な移動機の機数が前記閾値を超えた場合、前記配信エリアに関する情報および前記閾値を超えたことを前記ブロードキャストサービス制御サーバに報告するイベント報告手段と、
を具備し、前記イベント報告が行われた時点で、前記ブロードキャストサービス制御サーバから当該配信エリアに対して当該ブロードキャストサービスを配信することを特徴とするブロードキャスト受信可能移動機数把握システム。
【請求項３】
請求項２において、
前記判定手段による判定の結果、当該ブロードキャストサービスを受信可能な移動機の機数が前記閾値を超えていない場合、前記イベント登録手段によるイベント登録、前記通知手段による通知、前記移動機数保持手段による保持、および前記判定手段による判定を前記閾値を超えるまで繰り返すことを特徴とするブロードキャスト受信可能移動機数把握システム。
【請求項４】
請求項１〜３のいずれか１項において、
前記交換機の内部または外部に配置され、前記交換機の前記移動機数保持手段が、当該配信エリアの情報および当該移動機の識別子情報に基づいて、当該配信エリアごとに当該ブロードキャストサービスを受信可能な移動機の数を取得する際、当該移動機の識別子情報と当該移動機のブロードキャストサービス受信能力の有無とを対応させた対応表を有する移動機識別子管理データベースを備え、該移動機識別子管理データベースを参照して当該ブロードキャストサービスを受信可能な移動機の数を取得することを特徴とするブロードキャスト受信可能移動機数把握システム。
【請求項５】
請求項１〜４のいずれか１項において、
前記通知手段は、前記移動機が位置登録時または当該移動機の配信エリア変更時に交換機に通知するメッセージ内に当該配信エリアの情報および当該移動機の識別子情報を含ませることにより当該配信エリアの情報および当該移動機の識別子情報を通知することを特徴とするブロードキャスト受信可能移動機数把握システム。
【請求項６】
請求項１〜５のいずれか１項に記載のブロードキャスト受信可能移動機数把握システムを具備していることを特徴とする移動通信網。
【請求項７】
請求項１〜５のいずれか１項に記載のブロードキャスト受信可能移動機数把握システムに使用されることを特徴とする交換機。
【請求項８】
請求項１〜５のいずれか１項に記載のブロードキャスト受信可能移動機数把握システムに使用されることを特徴とするブロードキャストサービス制御サーバ。
【請求項９】
ブロードキャストサービスの配信エリア内に在圏する移動機と、該移動機からの発信呼に対して呼接続制御を行う交換機と、呼接続時のサービス制御を行うブロードキャストサービス制御サーバとを具備する移動通信網であって、前記配信エリア内に在圏する移動機のうち当該ブロードキャストサービスを受信可能な移動機の機数を把握するブロードキャスト受信可能移動機数把握方法において、
前記配信エリアに在圏する移動機が当該交換機に対して当該配信エリアの情報および当該移動機の識別子情報を通知する通知ステップと、
当該交換機内で、当該配信エリアの情報および当該移動機の識別子情報に基づいて、当該配信エリアごとに当該ブロードキャストサービスを受信可能な移動機の機数を取得して保持する移動機数保持ステップと、
前記ブロードキャストサービス制御サーバから当該交換機に対して当該ブロードキャストサービスを受信可能な移動機の機数についての問い合わせを行う問合せステップと、
当該交換機から前記ブロードキャストサービス制御サーバに対して前記移動機数保持ステップで保持している当該ブロードキャストを受信可能な移動機の機数を通知して応答する応答ステップと、
を含むことを特徴とするブロードキャスト受信可能移動機数把握方法。
【請求項１０】
ブロードキャストサービスの配信エリア内に在圏する移動機と、該移動機からの発信呼に対して呼接続制御を行う交換機と、呼接続時のサービス制御を行うブロードキャストサービス制御サーバとを具備する移動通信網であって、前記配信エリア内に在圏する移動機のうち当該ブロードキャストサービスを受信可能な移動機の機数を把握するブロードキャスト受信可能移動機数把握方法において、
前記配信エリアに在圏する移動機が当該交換機に対して当該配信エリアの情報および当該移動機の識別子情報を通知する通知ステップと、
当該交換機内で、当該配信エリアの情報および当該移動機の識別子情報に基づいて、当該配信エリアごとに当該ブロードキャストサービスを受信可能な移動機の機数を取得して保持する移動機数保持ステップと、
前記ブロードキャストサービス制御サーバによって当該配信エリアに関する情報および当該ブロードキャストサービスを受信可能な最低限の移動機の機数を示す閾値に関するイベント情報を指定して要求するイベント要求ステップと、
前記交換機内に前記イベント情報を登録するイベント登録ステップと、
前記イベント登録ステップで登録された前記配信エリアに関する情報および前記閾値に関する情報に基づいて、前記移動機数保持ステップで保持している当該ブロードキャストサービスを受信可能な移動機の数が前記閾値を超えたか否かを判定する判定ステップと、
前記判定ステップによる判定の結果、当該ブロードキャストサービスを受信可能な移動機の機数が前記閾値を超えた場合、前記配信エリアに関する情報および前記閾値を超えたことを前記ブロードキャストサービス制御サーバに報告するイベント報告ステップと、
を含み、前記イベント報告が行われた時点で、前記ブロードキャストサービス制御サーバから当該配信エリアに対して当該ブロードキャストサービスを配信することを特徴とするブロードキャスト受信可能移動機数把握方法。
【発明の詳細な説明】
【技術分野】
【０００１】
本発明は、移動通信網におけるブロードキャストデータの配信エリアに在圏するブロードキャストデータ受信可能な移動機の数を把握してデータを配信するための在圏エリア受信可能者数把握システムおよび方法、移動通信網、並びに交換機に関する。
【背景技術】
【０００２】
近年、移動通信網においては種々のブロードキャストサービスが提供されている。このようなブロードキャストサービスにおいては、配信するエリアに在圏しているユーザ数を意識したサービスが提供できなかった。例えば、３ＧＰＰ（３ｒｄ  Ｇｅｎｅｒａｔｉｏｎ  Ｐａｒｔｎｅｒｓｈｉｐ  Ｐｒｏｊｅｃｔ）で企画されている移動通信網におけるブロードキャストの制御手順においては、特定エリアに在圏するブロードキャスト受信可能ユーザ数をネットワークで把握する技術は、存在しなかった（非特許文献１参照）。しかしながら、広告ビジネスを考えた場合、配信するエリアに所在するユーザ数が一定の閾値を超えたら広告を流すというように合理的なサービスを提供することが必要になっている。
【０００３】
この従来例として、特許文献１には、特定エリアへの移動をトリガーとするサービス起動方法及び移動通信交換機が記載され、移動端末が進入したときに、基地局が、当該移動端末のユーザ識別子を含む位置登録情報を交換機に送信し、交換機が、データベースを用いて当該識別子に対応するサービス起動条件情報を検索し、位置登録情報がサービス起動条件情報に該当するときは、交換機が、サービスを起動することが提案されている。
【特許文献１】特開２００３−１４３６３４号公報
【非特許文献１】３ＧＰＰ  ＴＳ（技術仕様）２３．２４６．ｖ６．１．０
【発明の開示】
【発明が解決しようとする課題】
【０００４】
上述したように、非特許文献１にある技術においては、ブロードキャストサービス制御においては、ブロードキャスト受信可能移動機の数を移動通信網で把握する技術ではないために、配信エリアごとのブロードキャスト受信可能数を把握することができず、合理的なサービスを提供することができないという問題があった。
また、特許文献１においては、移動端末が進入してきたときに基地局が当該移動端末の識別子を含む位置登録情報を交換機に送信し、交換機がサービスを起動するサービス起動方法であるが、エリア毎のブロードキャスト受信可能な移動機の数を交換機が把握する技術ではないので、配信エリアに在圏するブロードキャスト受信可能移動機数を把握することができず、合理的なサービスを提供するができないという問題があった。
【０００５】
また、ブロードキャスト受信可能移動機数をブロードキャスト配信側が把握していないため、ブロードキャスト受信可能移動機がないエリアにもブロードキャストデータを配信しなければならず、ネットワーク及び無線区間におけるリソースの無駄があった。
従って、ブロードキャスト受信可能移動機が存在しないエリアへのブロードキャスト配信を行わないことが必要になる。
本発明は、上述した事情を鑑みてなされたものであって、移動通信網のネットワーク及び無線制御に無駄なリソースを削減したサービスを行うためにブロードキャスト受信可能な移動機の数を把握するブロードキャスト受信可能移動機数把握システムおよび方法を提供することを目的としている。
【課題を解決するための手段】
【０００６】
上記目的を達成するために、請求項１記載のブロードキャスト受信可能移動機数把握システムは、
ブロードキャストサービスの配信エリア内に在圏する移動機と、該移動機からの発信呼に対して呼接続制御を行う交換機と、呼接続時のサービス制御を行うブロードキャストサービス制御サーバとを具備する移動通信網であって、前記配信エリア内に在圏する移動機のうち当該ブロードキャストサービスを受信可能な移動機の機数を把握するブロードキャスト受信可能移動機数把握システムにおいて、
前記配信エリアに在圏する移動機が当該交換機に対して当該配信エリアの情報および当該移動機の識別子情報を通知する通知手段と、
当該交換機内で、当該配信エリアの情報および当該移動機の識別子情報に基づいて、当該配信エリアごとに当該ブロードキャストサービスを受信可能な移動機の機数を取得して保持する移動機数保持手段と、
前記ブロードキャストサービス制御サーバから当該交換機に対して当該ブロードキャストサービスを受信可能な移動機の機数についての問い合わせを行う問合せ手段と、
当該交換機から前記ブロードキャストサービス制御サーバに対して前記移動機数保持手段で保持している当該ブロードキャストを受信可能な移動機の機数を通知して応答する応答手段と、を具備することを特徴とする。
【０００７】
この構成によれば、通知手段により配信エリアに在圏する移動機が当該交換機に対して当該配信エリアの情報および当該移動機の識別子情報を通知し、移動機数保持手段により、当該交換機内で、当該配信エリアの情報および当該移動機の識別子情報に基づいて、当該配信エリアごとに当該ブロードキャストサービスを受信可能な移動機の機数を取得して保持し、問合せ手段によりブロードキャストサービス制御サーバから当該交換機に対して当該ブロードキャストサービスを受信可能な移動機の機数についての問い合わせを行い、応答手段により当該交換機から前記ブロードキャストサービス制御サーバに対して前記移動機数保持手段で保持している当該ブロードキャストを受信可能な移動機の機数を通知して応答するので、移動通信網のブロードキャスト配信において、配信エリア（セル：Ｃｅｌｌ）単位でブロードキャスト受信可能な移動機数を特定したブロードキャスト配信が可能となる。従って、ブロードキャスト情報提供者が受信者数を意識した広告配信サービス等のビジネスが可能となる。
【０００８】
また、配信エリア毎のブロードキャスト受信可能な移動機の数がブロードキャスト情報提供者側で把握できるため、オペレータがネットワークのリソースを考慮してブロードキャストデータ配信を行いたいと考えたとき、ブロードキャスト受信可能な移動機がいない地域に対してはブロードキャスト情報を配信しないように制御することが可能となる。
【０００９】
請求項２記載のブロードキャスト受信可能移動機数把握システムは、
ブロードキャストサービスの配信エリア内に在圏する移動機と、該移動機からの発信呼に対して呼接続制御を行う交換機と、呼接続時のサービス制御を行うブロードキャストサービス制御サーバとを具備する移動通信網であって、前記配信エリア内に在圏する移動機のうち当該ブロードキャストサービスを受信可能な移動機の機数を把握するブロードキャスト受信可能移動機数把握システムにおいて、
前記配信エリアに在圏する移動機が当該交換機に対して当該配信エリアの情報および当該移動機の識別子情報を通知する通知手段と、
当該交換機内で、当該配信エリアの情報および当該移動機の識別子情報に基づいて、当該配信エリアごとに当該ブロードキャストサービスを受信可能な移動機の機数を取得して保持する移動機数保持手段と、
前記ブロードキャストサービス制御サーバによって当該配信エリアに関する情報および当該ブロードキャストサービスを受信可能な最低限の移動機の機数を示す閾値に関するイベント情報を指定して要求するイベント要求手段と、
前記交換機内に前記イベント情報を登録するイベント登録手段と、
前記イベント登録手段で登録された前記配信エリアに関する情報および前記閾値に関する情報に基づいて、前記移動機数保持手段で保持している当該ブロードキャストサービスを受信可能な移動機の数が前記閾値を超えたか否かを判定する判定手段と、
前記判定手段による判定の結果、当該ブロードキャストサービスを受信可能な移動機の機数が前記閾値を超えた場合、前記配信エリアに関する情報および前記閾値を超えたことを前記ブロードキャストサービス制御サーバに報告するイベント報告手段と、を具備し、前記イベント報告が行われた時点で、前記ブロードキャストサービス制御サーバから当該配信エリアに対して当該ブロードキャストサービスを配信することを特徴とする。
【００１０】
この構成によれば、通知手段により配信エリアに在圏する移動機が当該交換機に対して当該配信エリアの情報および当該移動機の識別子情報を通知し、移動機数保持手段により当該交換機内で、当該配信エリアの情報および当該移動機の識別子情報に基づいて、当該配信エリアごとに当該ブロードキャストサービスを受信可能な移動機の機数を取得して保持し、イベント要求手段によりブロードキャストサービス制御サーバによって当該配信エリアに関する情報および当該ブロードキャストサービスを受信可能な最低限の移動機の機数を示す閾値に関するイベント情報を指定して要求し、イベント登録手段により交換機内に前記イベント情報を登録し、判定手段によりイベント登録手段で登録された前記配信エリアに関する情報および前記閾値に関する情報に基づいて、前記移動機数保持手段で保持している当該ブロードキャストサービスを受信可能な移動機の数が前記閾値を超えたか否かを判定し、イベント報告手段により判定手段による判定の結果、当該ブロードキャストサービスを受信可能な移動機の機数が前記閾値を超えた場合、前記配信エリアに関する情報および前記閾値を超えたことを前記ブロードキャストサービス制御サーバに報告する。従って、配信エリアにブロードキャスト受信可能な移動機の数に一定の閾値を予め決めておき、移動機の数がこの一定の閾値を超えると、ブロードキャストデータ配信を開始させるように制御することが可能になる。
【００１１】
請求項３記載のブロードキャスト受信可能移動機数把握システムは、
請求項２において、
前記判定手段による判定の結果、当該ブロードキャストサービスを受信可能な移動機の機数が前記閾値を超えていない場合、前記イベント登録手段によるイベント登録、前記通知手段による通知、前記移動機数保持手段による保持、および前記判定手段による判定を前記閾値を超えるまで繰り返すことを特徴とする。
【００１２】
この構成によれば、判定手段による判定の結果、当該ブロードキャストサービスを受信可能な移動機の機数が閾値を超えていない場合、イベント登録手段によるイベント登録、通知手段による通知、移動機数保持手段による保持、および判定手段による判定を前記閾値を超えるまで周期的に繰り返すことができ、所定の時期に閾値に達した配信エリアにおいては、その時点でリアルタイムでブロードキャストサービスを開始することができるという効果が得られる。
【００１３】
請求項４記載のブロードキャスト受信可能移動機数把握システムは、
請求項１〜３のいずれか１項において、
前記交換機の内部または外部に配置され、前記交換機の前記移動機数保持手段が、当該配信エリアの情報および当該移動機の識別子情報に基づいて、当該配信エリアごとに当該ブロードキャストサービスを受信可能な移動機の数を取得する際、当該移動機の識別子情報と当該移動機のブロードキャストサービス受信能力の有無とを対応させた対応表を有する移動機識別子管理データベースを備え、該移動機識別子管理データベースを参照して当該ブロードキャストサービスを受信可能な移動機の数を取得することを特徴とする。
【００１４】
この構成によれば、移動機識別子管理データベースが、交換機の内部または外部に配置され、交換機の移動機数保持手段が、当該配信エリアの情報および当該移動機の識別子情報に基づいて、当該配信エリアごとに当該ブロードキャストサービスを受信可能な移動機の数を取得する際、当該移動機の識別子情報と当該移動機のブロードキャストサービス受信能力の有無とを対応させた対応表を有するので、該移動機識別子管理データベースを参照して当該ブロードキャストサービスを受信可能な移動機の数を取得することができるので、当該配信エリアの情報および当該移動機の識別子情報のみにより容易に受信可能な移動機数を把握することができるという効果が得られる。
【００１５】
請求項５記載のブロードキャスト受信可能移動機数把握システムは、
請求項１〜４のいずれか１項において、
前記通知手段は、前記移動機が位置登録時または当該移動機の配信エリア変更時に交換機に通知するメッセージ内に当該配信エリアの情報および当該移動機の識別子情報を含ませることにより当該配信エリアの情報および当該移動機の識別子情報を通知することを特徴とする。
【００１６】
この構成によれば、通知手段は、移動機が位置登録時または当該移動機の配信エリア変更時に交換機に通知するメッセージ内に当該配信エリアの情報および当該移動機の識別子情報を含ませることにより当該配信エリアの情報および当該移動機の識別子情報を通知するので、交換機側でこのメッセージを解析するだけで容易に当該配信エリアの情報および当該移動機の識別子情報が得られ、容易に受信可能な移動機数を把握することができるという効果が得られる。
【００１７】
請求項６記載の移動通信網は、
請求項１〜５のいずれか１項に記載のブロードキャスト受信可能移動機数把握システムを具備していることを特徴とする。
この構成によれば、請求項１または２と同様の効果が得られる。
請求項７記載の交換機は、
請求項１〜５のいずれか１項に記載のブロードキャスト受信可能移動機数把握システムに使用されることを特徴とする。
この構成によれば、請求項１または２と同様の効果が得られる。
請求項８記載のブロードキャストサービス制御サーバは、
請求項１〜５のいずれか１項に記載のブロードキャスト受信可能移動機数把握システムに使用されることを特徴とする。
この構成によれば、請求項１または２と同様の効果が得られる。
【００１８】
請求項９記載のブロードキャスト受信可能移動機数把握方法は、
ブロードキャストサービスの配信エリア内に在圏する移動機と、該移動機からの発信呼に対して呼接続制御を行う交換機と、呼接続時のサービス制御を行うブロードキャストサービス制御サーバとを具備する移動通信網であって、前記配信エリア内に在圏する移動機のうち当該ブロードキャストサービスを受信可能な移動機の機数を把握するブロードキャスト受信可能移動機数把握方法において、
前記配信エリアに在圏する移動機が当該交換機に対して当該配信エリアの情報および当該移動機の識別子情報を通知する通知ステップと、
当該交換機内で、当該配信エリアの情報および当該移動機の識別子情報に基づいて、当該配信エリアごとに当該ブロードキャストサービスを受信可能な移動機の機数を取得して保持する移動機数保持ステップと、
前記ブロードキャストサービス制御サーバから当該交換機に対して当該ブロードキャストサービスを受信可能な移動機の機数についての問い合わせを行う問合せステップと、
当該交換機から前記ブロードキャストサービス制御サーバに対して前記移動機数保持ステップで保持している当該ブロードキャストを受信可能な移動機の機数を通知して応答する応答ステップと、を含むことを特徴とする。
この構成によれば、請求項１と同様の効果が得られる。
【００１９】
請求項１０記載のブロードキャスト受信可能移動機数把握方法は、
ブロードキャストサービスの配信エリア内に在圏する移動機と、該移動機からの発信呼に対して呼接続制御を行う交換機と、呼接続時のサービス制御を行うブロードキャストサービス制御サーバとを具備する移動通信網であって、前記配信エリア内に在圏する移動機のうち当該ブロードキャストサービスを受信可能な移動機の機数を把握するブロードキャスト受信可能移動機数把握方法において、
前記配信エリアに在圏する移動機が当該交換機に対して当該配信エリアの情報および当該移動機の識別子情報を通知する通知ステップと、
当該交換機内で、当該配信エリアの情報および当該移動機の識別子情報に基づいて、当該配信エリアごとに当該ブロードキャストサービスを受信可能な移動機の機数を取得して保持する移動機数保持ステップと、
前記ブロードキャストサービス制御サーバによって当該配信エリアに関する情報および当該ブロードキャストサービスを受信可能な最低限の移動機の機数を示す閾値に関するイベント情報を指定して要求するイベント要求ステップと、
前記交換機内に前記イベント情報を登録するイベント登録ステップと、
前記イベント登録ステップで登録された前記配信エリアに関する情報および前記閾値に関する情報に基づいて、前記移動機数保持ステップで保持している当該ブロードキャストサービスを受信可能な移動機の数が前記閾値を超えたか否かを判定する判定ステップと、
前記判定ステップによる判定の結果、当該ブロードキャストサービスを受信可能な移動機の機数が前記閾値を超えた場合、前記配信エリアに関する情報および前記閾値を超えたことを前記ブロードキャストサービス制御サーバに報告するイベント報告ステップと、を含み、前記イベント報告が行われた時点で、前記ブロードキャストサービス制御サーバから当該配信エリアに対して当該ブロードキャストサービスを配信することを特徴とする。
この構成によれば、請求項２と同様の効果が得られる
【００２０】
以上説明したように、本発明は、ブロードキャスト受信可能な移動機から交換機に位置登録及びリロケーション時に通知するメッセージ内に移動機が在圏する配信エリア情報（セル情報：ＳＡＩ）及び移動機識別情報（ＩＭＥＩＳＶ）がある。ＩＭＥＩＳＶとブロードキャスト受信可能移動機かどうかを判定するデータベースとを使い、ＩＭＥＩＳＶからブロードキャスト受信可能な移動機の判定を実施する。この情報を元に、交換機で、配信エリア情報ＳＡＩごとにブロードキャスト受信可能な移動機数を保持しておく。
【００２１】
また、ブロードキャストサービス制御サーバから交換機に配信エリア情報ＳＡＩ単位でブロードキャスト移動機の数を把握する要求を受けて、交換機で配信エリア情報ＳＡＩごとのブロードキャスト受信可能な移動機数を、ブロードキャストサービス制御サーバに応答する。ブロードキャストサービス制御サーバにて取得した配信エリア情報ＳＡＩ単位のブロードキャスト受信可能な移動機数を、データベースとして管理する。
また、ブロードキャストサービス制御サーバから交換機へのブロードキャスト受信可能移動機数把握要求を配信エリア情報ＳＡＩごとに周期的に実施することにより、リアルタイムにデータベースを更新する。
【００２２】
また、移動通信網におけるブロードキャストサービス時の受信可能在圏者数が一定の閾値を超えたら、ブロードキャスト情報を配信する制御において、ブロードキャストサービス制御サーバから配信エリア情報ＳＡＩごとにブロードキャスト受信可能移動機閾値数を交換機にイベント登録し、請求項８の方法で交換機がエリア毎のブロードキャスト受信可能移動機数を更新する際に、この閾値と比較し、比較した結果、ブロードキャスト受信可能移動機数が閾値を超えていた場合に、ブロードキャストサービス制御サーバに閾値を超えていることを通知し、ブロードキャストサービス制御サーバにて閾値を超えていることを通知し、ブロードキャストサービス制御サーバにて閾値超えをトリガーとしてブロードキャストデータ配信を開始させる。
【発明の効果】
【００２３】
上述した構成によれば、移動通信網のブロードキャスト配信において、配信エリア（セル：Ｃｅｌｌ）単位でブロードキャスト受信可能な移動機数を特定したブロードキャスト配信が可能となる。従って、ブロードキャスト情報提供者が受信者数を意識した広告配信サービス等のビジネスが可能となる。
また、配信エリア毎のブロードキャスト受信可能な移動機の数がブロードキャスト情報提供者側で把握できるため、オペレータがネットワークのリソースを考慮してブロードキャストデータ配信を行いたいと考えたとき、ブロードキャスト受信可能な移動機がいない地域に対してはブロードキャスト情報を配信しないように制御することが可能となる。従って、ネットワーク負荷及び無線リソースの負荷を削減することが可能になる。
【００２４】
また、配信エリアにブロードキャスト受信可能な移動機の数に一定の閾値を予め決めておき、移動機の数がこの一定の閾値を超えると、ブロードキャストデータ配信を開始させるように制御することが可能になる。従って、ブロードキャスト情報提供側は、一度移動機数の閾値を設定しておくだけで、自動的に一定の人数以上にブロードキャスト情報を配信することが可能になる。
【発明を実施するための最良の形態】
【００２５】
以下、図面を参照して、本発明のブロードキャスト受信可能在圏移動機数把握システムを実施するための最良の形態について詳細に説明する。
〔第１実施形態〕
図１は、本発明の第１実施形態に係るブロードキャスト受信可能移動機数把握システムを適用した通信制御システムの全体構成を示す概略図である。
同図に示すように、通信制御システム１０は、ＢＭ−ＳＣ（Ｂｒｏａｄｃａｓｔ  Ｍｕｌｔｉｃａｓｔ  Ｓｅｒｖｉｃｅ  Ｃｅｎｔｅｒ：ブロードキャストサービス制御サーバ）２と、ＧＧＳＮ（Ｇａｔｅｗａｙ  ＧＰＲＳ  Ｓｕｐｐｏｒｔ  Ｎｏｄｅ：関門交換機）３と、ＳＧＳＮ（Ｓｅｒｖｉｎｇ  ＧＰＲＳ  Ｓｕｐｐｏｒｔ  Ｎｏｄｅ：在圏交換機）４と、ＲＮＣ（Ｒａｄｉｏ  Ｎｅｔｗｏｒｋ  Ｃｏｎｔｒｏｌｌｅｒ：無線ネットワーク制御システム）５とを備えて構成される。ＳＧＳＮ４がブロードキャスト通信を用いてコンテンツを配信する配信エリア８には、ブロードキャスト受信能力を有するＢＣ受信可能移動機６、またはブロードキャスト能力を有しないＢＣ受信不能移動機７が配置される。
【００２６】
ブロードキャスト受信可能移動機数把握システム１は、特定配信エリア８に存圏するブロードキャスト受信可能な移動機６の数を管理し制御するシステムであり、このシステムには、ブロードキャスト受信可能移動機数を管理する管理データベースが格納されている。このブロードキャスト受信可能移動機数管理データベースは、データベースサーバとして配置されるブロードキャストサービス制御サーバ（ＢＭ−ＳＣ）２の記憶装置の一部として保持されている。また、ブロードキャスト受信可能移動機管理データベースには、配信エリア情報（ＳＡＩ：Ｓｅｒｖｉｃｅ  Ａｒｅａ  Ｉｄｅｎｔｉｆｉｃａｔｉｏｎ）と、ブロードキャスト受信可能な移動機数とを管理するためのデータベースソフトウェアとを含んで構成される。
【００２７】
ブロードキャストサービス制御サーバ（ＢＭ−ＳＣ）２は、ハードウェア構成を備えている。ブロードキャストサービス制御サーバ２はまた、ＧＧＳＮ３との通信を制御するインタフェースと、ブロードキャストサービス提供側との通信を制御するインターフェースとを保持している。この構成により、特定通信エリア情報（ＳＡＩ）単位でブロードキャスト受信可能な移動機数を、ＧＧＳＮ３を経由してＳＧＳＮ４に問い合わせる機能を具備する装置である。この応答信号にはある値の配信エリア情報ＳＡＩと、ブロードキャスト受信可能移動機数とをブロードキャスト受信移動機管理データベースに記憶させる機能を保持している。
【００２８】
ＢＭ−ＳＣ２では、ブロードキャスト情報提供者にブロードキャスト受信可能移動機数管理データベースを表示させる機能を備えている。
ＢＭ−ＳＣ２ではまた、特定通信エリア情報ＳＡＩ単位でブロードキャスト受信可能な移動機数の閾値をＧＧＳＮ３経由でＳＧＳＮ４に登録する機能を保有する。また、ブロードキャスト受信可能な移動機数の閾値超えがＧＧＳＮ３経由でＳＧＳＮ４から通知されたことをトリガーにして、ブロードキャスト情報を配信エリアに配信を開始する機能を備えている。
【００２９】
次に、データベースについて、説明する。この例で使用するデータベースは、２種類であり、ＩＭＥＩＳＶデータベースおよびブロードキャスト受信可能な移動機の有無を管理するためのデータベースのソフトウェアとを含んで構成される。
移動機識別子（ＩＭＥＩＳＶ：Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｆｙ  ａｎｄ  Ｓｏｆｔｗａｒｅ  Ｖｅｒｓｉｏｎ  Ｎｕｍｂｅｒ）管理データベースは、データベースサーバとしてのＢＭ−ＳＣ２のハードウェア内に保持されても良いし、ＳＧＳＮ４の記憶装置の一部として保持されても良い。
【００３０】
次に、ＳＧＳＮ４について説明する。ＳＧＳＮ４は、ＩＭＥＩＳＶからブロードキャスト受信可能な移動機の能力の有無を移動機識別子管理データベースに問い合わせる機能を持つ。問い合わせた結果から、配信エリア情報ＳＡＩ単位でブロードキャスト受信可能移動機数を記憶する記憶装置を持つ。また、移動機６からの位置登録、配信エリア変更時に、配信エリア情報ＳＡＩ単位でブロードキャスト受信可能移動機数を管理するデータベースの更新を行える機能を具備する。また、ブロードキャストサービス制御サーバ２からＳＧＳＮ４へのブロードキャスト受信可能移動機数把握要求に対して、記憶しているデータから配信エリア情報ＳＡＩごとのブロードキャスト受信可能起動着数を応答する機能を具備する。さらに、配信エリア情報ＳＡＩごとのブロードキャスト受信可能移動機閾値数を登録する閾値記憶部とブロードキャスト受信可能移動機数更新時に閾値とブロードキャスト配信可能移動機数とを比較する機能を具備する。
【００３１】
図２は、本発明の第１実施形態に係るブロードキャスト受信可能移動機数把握システム（問い合わせ型）の構成を示す概略図である。
この例は、ブロードキャスト通信において、ＢＭ−ＳＣ２からＳＧＳＮ４に在圏移動機６，７について問い合わせを行って受信可能な在圏移動機数を把握するシステムである。
同図に示すように、このシステムは、ＢＭ−ＳＣ２とＳＧＳＮ４とを備え、特定通信エリア８におけるブロードキャスト受信可能移動機６の機数を把握して、ブロードブロードキャスト（ＢＣ）情報提供者９に通知する。ブロードキャスト情報提供者９は、インターネットなどを介してＢＭ−ＳＣ２内のブロードキャスト受信可能移動機数を閲覧して、コンテンツ配信エリア８におけるブロードキャスト受信可能な移動機６の機数を把握することができる。
【００３２】
ＢＭ−ＳＣ２は、ブロードキャスト受信可能在圏移動機数を管理するデータベース１１を備え、ＳＧＳＮ４に対して周期的にブロードキャスト受信可能移動機数を問い合わせる。
ＳＧＳＮ４は、特定通信エリアであるコンテンツ配信エリア（セル）８内のブロードキャスト受信可能移動機数をカウントする機能と、ブロードキャスト受信可能移動機数の情報を保持する機能とを有し、ＢＭ−ＳＣ２のブロードキャスト受信可能移動機数についての問い合わせに対して応答する。
【００３３】
ＳＧＳＮ４からＢＭ−ＳＣ２に応答があると、ＢＭ−ＳＣ２は、ブロードキャスト受信移動機数管理データベース１１に通知し、この情報を保持しておく。ブロードキャスト情報提供者９は、必要に応じてＢＭ−ＳＣ２を介してブロードキャスト受信可能移動機数管理データベースに保持されているデータを閲覧することができ、この情報に基づいてブロードキャスト配信要求を行い。通常の手順に従って、所定の配信エリア８にコンテンツを配信する。
【００３４】
図３は、本発明の第１実施形態に係るブロードキャスト受信可能移動機数把握システム（問い合わせ型）の動作を示すシーケンス図である。
同図を参照して、問い合わせ型在圏移動機数を通知する動作について説明する。
まず、ステップＳ３１においては、移動機６からＳＧＳＮ４への位置登録（Ａｔｔａｃｈ）および在圏エリア変更（Ｒｏｕｔｉｎｇ  Ａｒｅａ  Ｕｐｄａｔｅ）によって、当該移動機が在圏している特定通信エリア情報ＳＡＩおよび当該移動機の移動機識別子ＩＭＥＩＳＶを通知する。
【００３５】
ステップＳ３２においては、ＳＧＳＮ４は、ＩＭＥＩＳＶをキー情報として、ＩＭＥＩＳＶ管理データベース１２に対して当該移動機６のブロードキャスト受信能力の有無を問い合わせる。ＩＭＥＩＳＶ管理データベース１２は、移動機識別子ＩＭＥＩＳＶごとにブロードキャスト能力の有無を検索できるように、移動機識別子ＩＭＥＩＳＶとブロードキャスト受信可能移動機とを対応付けた表を管理しているデータベースであり、ＳＧＳＮ４の内部に配置されることもできるし、あるいはＳＧＳＮ４の外部に配置することもできる。
【００３６】
ステップＳ３３においては、ＩＭＥＩＳＶ管理データベース１２は、移動機識別子ＩＭＥＩＳＶとブロードキャスト受信可能移動機とを対応付けた表に基づいて、移動機識別子ＩＭＥＩＳＶをキー情報として当該移動機６のブロードキャスト受信能力の有無を検索する。
ステップＳ３４においては、移動機識別子ＩＭＥＩＳＶ管理データベース１２からＳＧＳＮ４に対して、当該移動機６のブロードキャスト受信能力の有無を検索した結果を応答する。
【００３７】
ステップＳ３５においては、ＳＧＳＮ４にて、ＩＭＥＩＳＶ管理データベースから応答があったブロードキャスト受信能力の有無に関する情報を、配信エリア情報ＳＡＩ単位で保持しておく。
ステップＳ３６〜Ｓ４０においては、配信エリア情報ＳＡＩ単位で実施する。
ステップＳ３６においては、ＢＭ−ＳＣ２からＳＧＳＮ４に、配信エリア情報ＳＡＩをキー情報として、ブロードキャスト受信可能移動機数を問い合わせる。
【００３８】
ステップＳ３７においては、ＳＧＳＮ４が、ブロードキャスト受信可能移動機のカウントを実施する。具体的には、ステップＳ３５の処理で、ＳＧＳＮにて保有するブロードキャスト受信可能移動機数の情報から、ステップＳ３６で要求された特定通信エリア情報ＳＡＩについて、ブロードキャスト受信可能移動機数を検索し、カウントする。この例では、カウントした結果、配信エリアＩは１、ブロードキャスト受信可能移動機数は５０台である。
ステップＳ３８においては、ステップＳ３７でカウントして取得した配信エリア情報ＳＡＩが１で、ブロードキャスト受信可能移動機数５０台という情報をＢＭ−ＳＣ２に通知する。
【００３９】
ステップＳ３９においては、ＢＭ−ＳＣ２からブロードキャスト受信可能移動機数管理データベース１１の記憶部にステップＳ３８の情報、すなわち、配信エリア情報ＳＡＩが１で、ブロードキャスト受信可能移動機数５０台という情報を通知する。ブロードキャスト受信可能移動機数管理データベース１１では、ブロードキャスト受信可能移動機数とその配信エリア情報ＳＡＩの情報を管理するデータベースを構築し、このデータベースにより、エリア別にブロードキャスト受信可能移動機を把握することができる。
【００４０】
ステップＳ４０においては、ＢＭ−ＳＣ２からブロードキャスト受信可能移動機数管理データベース１１に対して通知があった後、配信エリア情報ＳＡＩ単位でブロードキャスト受信可能移動機数のデータベースを更新する。
以上、ステップＳ３６からステップＳ４０の手順を周期的に行い、ブロードキャスト受信可能移動機数管理データベース１１を更新する。
【００４１】
ステップＳ４１においては、例えば、ブロードキャスト情報提供者１０がブロードキャスト受信可能移動機数管理データベース１１をＷＥＢで閲覧できるようにしておく。
ステップＳ４２においては、ブロードキャスト情報提供者１０は、ステップＳ４１で参照したデータに基づいて、配信エリア情報ＳＡＩを確定し、ブロードキャスト配信要求をＢＭ−ＳＣ２に送出する。
【００４２】
ステップＳ４３においてはＢＭ−ＳＣ２が通常の方法でブロードキャストを配信する。
このように、問い合せを行うことにより、ブロードキャスト受信可能な移動機が在圏していない配信エリアに対しては、ブロードキャスト情報を配信しないように制御することができ、ネットワーク及び無線区間におけるリソースの無駄を省くことができる。
【００４３】
〔第２実施形態〕
図４は、本発明の第２実施形態に係るブロードキャスト受信可能移動機数把握システム（イベント登録型）の構成を示す概略図である。
この例は、ブロードキャスト通信において、ブロードキャスト情報提供者（ＢＣ）９がＳＧＳＮ４に対してイベント登録を行い、ＳＧＳＮ４にて当該イベントに登録された閾値を超えた場合にＢＭ−ＳＣ２に通知するシステムである。
【００４４】
同図に示すように、このシステムは、ＢＭ−ＳＣ２とＳＧＳＮ４とを備え、特定通信エリア８におけるブロードキャスト受信可能移動機６の機数を把握して、ブロードキャスト情報提供者９に通知する。ブロードキャスト情報提供者９は、インターネットなどを介してＢＭ−ＳＣ２内のブロードキャスト受信可能移動機数を閲覧して、コンテンツ配信エリア８における受信可能な移動機６の機数を把握することができる。
ブロードキャスト情報提供者９は、ＳＧＳＮ４に対してイベントを発することができる。当該イベントには、配信エリア情報と、エリアごとにブロードキャスト受信可能な移動機の機数の最低限としての閾値を指定することができる。
【００４５】
ＳＧＳＮ４は、特定通信エリアであるコンテンツ配信エリア（セル）８内のブロードキャスト受信可能移動機数をカウントする機能と、ブロードキャスト受信可能移動機数の情報を保持する機能とを有し、かつ、ブロードキャスト情報提供者９から移動機の機数の閾値を含むイベントを登録する機能と、当該イベントに登録された閾値を超えた場合に、ＢＭ−ＳＣ４に閾値超えを通知する機能とを有する。
ＢＭ−ＳＣ２は、ブロードキャスト受信可能移動機数のデータベースを備え、ＳＧＳＮ４からの閾値超えの通知があると、当該イベントを受け取った時点で、移動機６に対して放送を開始する。放送が終了すると、ＢＣ情報提供者９に通知する。
【００４６】
図５は、本発明の第２実施形態に係るブロードキャスト受信可能移動機数把握システム（イベント登録型）の動作を示すシーケンス図である。
同図を参照して、イベント登録型在圏移動機通知の確立方法を説明する。
まず、前述した第１実施形態と同様に、ＳＧＳＮ４では、ステップＳ３１からステップＳ３５の手順で、配信エリア８内における移動機がブロードキャスト受信可能であるか否かを（ブロードキャスト受信能力の有無）を保持しておく。
【００４７】
ステップＳ３１においては、移動機６からＳＧＳＮ４への位置登録（Ａｔｔａｃｈ）および在圏エリア変更（Ｒｏｕｔｉｎｇ  Ａｒｅａ  Ｕｐｄａｔｅ）によって、特定通信エリア情報ＳＡＩおよび移動機識別子ＩＭＥＩＳＶを通知する。
ステップＳ３２においては、ＳＧＳＮ４は、ＩＭＥＩＳＶをキー情報として、ＩＭＥＩＳＶ管理データベース１２に対して当該移動機６のブロードキャスト受信能力の有無を問い合わせる。
【００４８】
ステップＳ３３においては、ＩＭＥＩＳＶ管理データベース１１は、移動機識別子ＩＭＥＩＳＶとブロードキャスト受信可能移動機とを対応付けた表を管理するデータベースを保持し、このデータベースに基づいて、移動機識別子ＩＭＥＩＳＶをキー情報として当該移動機６のブロードキャスト受信能力の有無を検索する。
ステップＳ３４においては、移動機識別子ＩＭＥＩＳＶ管理データベース１２からＳＧＳＮ４に対して、当該移動機６のブロードキャスト受信能力の有無を応答する。
ステップＳ３５においては、ＳＧＳＮ４にて、配信エリア情報ＳＡＩ単位でブロードキャスト受信可能な移動機数を保持しておく。
【００４９】
ステップＳ５１においては、ブロードキャスト情報提供者９が、ＢＭ−ＳＣ２に対して、イベントを発して、イベント登録型ブロードキャスト配信要求を行う。イベント登録する内容としては、配信エリア情報ＳＡＩと、配信エリア情報ＳＡＩ単位でブロードキャスト受信可能な移動機数の最小の閾値とを設定する。例えば、配信エリア１にブロードキャスト受信可能な移動機数が５０以上存在すれば、データを配信してほしいという場合は、配信エリア情報ＳＡＩ＝１，ユーザ数または移動機数の閾値＝５０と設定する。
【００５０】
ステップＳ５２においては、ＢＭ−ＳＣ２からＳＧＳＮ４に対して、イベント登録として前述した配信エリア情報ＳＡＩと、配信エリア情報ＳＡＩ単位でブロードキャスト受信可能な移動機数の最小の閾値（ユーザ数閾値）とを要求通知する。例えば、配信エリア情報＝１、ユーザ数閾値＝５０と通知する。
ステップＳ５３においては、ＳＧＳＮ４にて要求された配信エリア情報ＳＡＩ内におけるブロードキャスト受信可能な移動機の数をカウントし、この値が配信エリア内にＢＭ−ＳＣ２からのイベント登録要求で要求されている閾値を超えたか否かを判定する。
【００５１】
ステップＳ５３において、イベント登録要求で要求された閾値を超えていたら、ステップＳ５６を実施、すなわちＢＭ−ＳＣ２に配信エリア情報と、閾値超えとを含むイベント報告を通知する。
ステップＳ５３において、イベント登録要求で要求された閾値に満たない場合は、以下の手順を繰り返す。
ステップＳ５４においては、要求された配信エリア情報ＳＡＩ内におけるブロードキャスト受信可能な移動機の数が、閾値未満であった場合、ＳＧＳＮ４にイベントを再度登録する。
【００５２】
ステップＳ３１〜Ｓ３５の手順で、ブロードキャスト受信可能な移動機の機数を増減させる。
ステップＳ３１においては、移動機６からＳＧＳＮ４への位置登録（Ａｔｔａｃｈ）および在圏エリア変更（Ｒｏｕｔｉｎｇ  Ａｒｅａ  Ｕｐｄａｔｅ）によって、特定通信エリア情報ＳＡＩおよび移動機識別子ＩＭＥＩＳＶを通知する。
ステップＳ３２においては、ＳＧＳＮ４は、ＩＭＥＩＳＶをキー情報として、ＩＭＥＩＳＶ管理データベース１２に対して当該移動機６のブロードキャスト受信能力の有無を問い合わせる。
【００５３】
ステップＳ３３においては、ＩＭＥＩＳＶ管理データベース１１は、移動機識別子ＩＭＥＩＳＶとブロードキャスト受信可能移動機とを対応付けた表を管理するデータベースを保持し、このデータベースに基づいて、移動機識別子ＩＭＥＩＳＶをキー情報として当該移動機６のブロードキャスト受信能力の有無を検索する。
ステップＳ３４においては、移動機識別子ＩＭＥＩＳＶ管理データベース１２からＳＧＳＮ４に対して、当該移動機６のブロードキャスト受信能力の有無を応答する。
【００５４】
ステップＳ３５においては、ＳＧＳＮ４にて、配信エリア情報ＳＡＩ単位でブロードキャスト受信可能な移動機数を保持しておく。
ステップＳ５５においては、ステップＳ３１〜Ｓ３５の手順で増減しているブロードキャスト受信可能な移動機の機数について、ある時点でエリア内にブロードキャスト受信可能な移動機が閾値を超えているか否かを判定する。
【００５５】
ステップＳ５６においては、ＳＧＳＮ４で、ステップＳ５３またはステップＳ５５により、配信エリア情報ＳＡＩ内におけるブロードキャスト受信可能な移動機が閾値を超えたら、イベント報告として、配信エリア情報ＳＡＩと、配信エリア情報ＳＡＩ単位でブロードキャスト受信可能な移動機数閾値超えをＢＭ−ＳＣ２に通知する。
ステップＳ５７においては、移動機数の閾値超えをトリガーにＢＭ−ＳＣ２でブロードキャストデータ配信を開始する。
【００５６】
ステップＳ５８においては、ＢＭ−ＳＣ２から配信エリア情報ＳＡＩ内の移動機６に対して、通常の手順でブロードキャストデータを配信する。
ステップＳ５９においては、ブロードキャストデータの配信が終わった時点で、ＢＭ−ＳＣ２からブロードキャスト情報提供者９に対してブロードキャストデータの配信が完了したことを報告する。
このように、イベントを登録することにより、配信エリアごとにブロードキャスト受信可能な移動機の機数の最低限としての閾値を指定することにより、ネットワーク及び無線区間におけるリソースの無駄を省くことができる。
【００５７】
なお、以上説明した実施の形態において、図３および図５のフローチャートに示す処理を実行するにあたっては、いずれも、ＲＯＭに予め格納されている制御プログラムを実行する場合について説明したが、これに限らず、これらの手順を示したプログラムが記録された記憶媒体から、そのプログラムをＲＡＭに組み込んで実行するようにしても良い。あるいは、そのプログラムをネットワークから取得しても良い。
【００５８】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
以上、本発明のブロードキャスト受信可能移動機数把握システムについて、実施形態を中心にして説明してきたが、本発明は、これに限定されず、本発明の趣旨を逸脱することなく、種々の変更を行うことが可能である。
【図面の簡単な説明】
【００５９】
【図１】本発明の第１実施形態に係るブロードキャスト受信可能在圏移動機数把握システムを適用した通信制御装置の全体構成を示す概略図である。
【図２】本発明の第１実施形態に係るブロードキャスト受信可能移動機数把握システム（問い合わせ型）の構成を示す概略図である。
【図３】本発明の第１実施形態に係るブロードキャスト受信可能在圏移動機数把握システム（問い合わせ型）の動作を示すシーケンス図である。
【図４】本発明の第２実施形態に係るブロードキャスト受信可能移動機数把握システム（イベント登録型）の構成を示す概略図である。
【図５】本発明の第２実施形態に係るブロードキャスト受信可能在圏移動機数把握システム（イベント登録型）の動作を示すシーケンス図である。
【符号の説明】
【００６０】
１…ブロードキャスト可能在圏移動機数把握システム、２…ＢＭ−ＳＣ（ブロードキャストサービス制御サーバ）、３…ＧＧＳＮ（関門交換機）、４…ＳＧＳＮ（在圏交換機）、５…ＲＮＣ（無線ネットワーク制御システム）、６…ブロードキャスト能力保持移動機、７…ブロードキャスト能力非保持移動機、８…配信エリア（セル）、９…ブロードキャスト情報提供者、１０…通信制御装置、１１…ブロードキャスト受信可能移動機数管理データベース、１２…ＩＭＥＩＳＶ管理データベース
【図１】
2005348326.tif 000003
【図２】
2005348326.tif 000004
【図３】
2005348326.tif 000005
【図４】
2005348326.tif 000006
【図５】
2005348326.tif 000007